(57)【特許請求の範囲】
【請求項１】
前面に開口部を有する複数のキャビネットが左右方向に並設してある収納ユニットにおいて、
それぞれ隣接する前記キャビネットの前記開口部を形成する枠の上部分の上板間の前記前面側の隣接部分を目隠しする目隠し板部
を備え、
前記キャビネットのそれぞれの上板は上下方向に異なる厚みを有しており、
前記目隠し板部は、前記キャビネットのそれぞれの上板の前記前面側の端面を覆う領域を有し、前記領域のそれぞれは、前記キャビネットのそれぞれの上板の厚みに対応する幅を有することを特徴とする収納ユニット。
【請求項２】
前記目隠し板部は、前記複数のキャビネットの左右幅全体に亘る単一の部材であることを特徴とする請求項１に記載の収納ユニット。
【請求項３】
前記目隠し板部は、下端から背面側に延びる取付板部を有し、該取付板部にて前記キャビネットの上板に取り付けられるようにしてあることを特徴とする請求項１又は２に記載の収納ユニット。
【請求項４】
前記キャビネットの右側板又は左側板の前面を目隠しする第２目隠し板部を備えることを特徴とする請求項１から３までのいずれか１つに記載の収納ユニット。
【発明の詳細な説明】
【技術分野】
【０００１】
本発明は、複数のキャビネットを連結させて構成された収納ユニットに関する。
【背景技術】
【０００２】
台所には、シンク（流し）又はコンロが取り付けられるキャビネット、食器洗い乾燥機又はオーブンレンジ等の電気機器が組み込まれるキャビネット、食器及び調理用具等を収納するためのキャビネット等が設置されている。キャビネットは、例えば棒状のフレーム部材を連結して組立てられる（特許文献１参照）。また、複数のキャビネットを並べて連結させたシステムキッチン（収納ユニット）が普及している。
【先行技術文献】
【特許文献】
【０００３】
【特許文献１】特開２０１０−１４１５７号公報
【発明の概要】
【発明が解決しようとする課題】
【０００４】
システムキッチンの上面にはワークトップ（天板）が取り付けてある。ワークトップは、隣接するキャビネット間の隣接箇所を覆い、システムキッチンの上面に平坦な作業面を構成する。
しかしながら、一般的なワークトップは、連結されたキャビネットの上面を覆う形状をなしており、システムキッチンの正面側におけるキャビネット間の隣接箇所は覆わない。よって、システムキッチンの正面側ではキャビネット間の隣接箇所が露出するので、美観を損なう虞がある。
【０００５】
本発明は斯かる事情に鑑みてなされたものであり、その主たる目的は、美観を向上させることができる収納ユニットを提供することにある。
【課題を解決するための手段】
【０００６】
本発明に係る収納ユニットは、前面に開口部を有する複数のキャビネットが左右方向に並設してある収納ユニットにおいて、それぞれ隣接する前記キャビネットの前記開口部を形成する枠の上部分の上板間の前記前面側の隣接部分を目隠しする目隠し板部を備え、前記キャビネットのそれぞれの上板は上下方向に異なる厚みを有しており、前記目隠し板部は、前記キャビネットのそれぞれの上板の前記前面側の端面を覆う領域を有し、前記領域のそれぞれは、前記キャビネットのそれぞれの上板の厚みに対応する幅を有する。
【０００７】
本発明にあっては、隣接するキャビネット間において、キャビネットの上板同士が隣接する隣接部分の前面側を目隠し板部が目隠しする。よって、キャビネット間の隣接部分が人目に付くことがなく、隣接部分に不要物が紛れ込むことを防止する。また、連結される各キャビネットの上板の前面側を目隠しする目隠し板部が、各キャビネットの上板の厚みに応じた領域を有するので、上板の厚みが異なるキャビネットを連結させて用いることが可能である。
【００１０】
本発明に係る収納ユニットは、前記目隠し板部は、前記複数のキャビネットの左右幅全体に亘る単一の部材であることを特徴とする。
【００１１】
本発明にあっては、連結される各キャビネットの上板の前面側が１つの目隠し板部で覆われる。よって、前面側から見た場合の収納ユニットの美観を向上させることが可能であり、美観を向上させるための部材を容易に製造することが可能である。
【００１２】
本発明に係る収納ユニットは、前記目隠し板部は、下端から背面側に延びる取付板部を有し、該取付板部にて前記キャビネットの上板に取り付けられるようにしてあることを特徴とする。
【００１３】
本発明にあっては、目隠し板部は、下端から背面側に取付板部が延設してある。取付板部が各キャビネットの上板に取り付けられることにより、目隠し板部が収納ユニットに取り付けられる。よって、目隠し板部を収納ユニットに取り付けるための部品が人目に付くことを回避できる。
【００１４】
本発明に係る収納ユニットは、前記キャビネットの右側板又は左側板の前面を目隠しする第２目隠し板部を備えることを特徴とする。
【００１５】
本発明にあっては、収納ユニットの右側の側板又は左側の側板の前面が第２目隠し板部にて目隠しされる。よって、収納ユニットの美観をより向上させることが可能である。また、目隠し板部及び第２目隠し板部を別体とすることにより、容易に製造することが可能となる。
【発明の効果】
【００１６】
本発明の収納ユニットによる場合、正面側（前面側）におけるキャビネット間の隣接部分が目隠しされるので、複数のキャビネットを連結させた収納ユニットの美観を向上させることができる。
【図面の簡単な説明】
【００１７】
【図１】本発明の実施の形態に係るシステムキッチンの構成を略示する斜視図である。
【図２】本発明の実施の形態に係るシステムキッチンの構成を略示する斜視図である。
【図３】化粧板を示す模式図である。
【図４】化粧板を示す模式図である。
【図５】本発明の実施の形態に係るシステムキッチンの構成を略示する斜視図である。
【図６】本発明の実施の形態に係るシステムキッチンの構成を略示する斜視図である。
【発明を実施するための形態】
【００１８】
以下、本発明を、その実施の形態を示す図面に基づいて詳述する。以下の説明では、図において矢符で示す上下、前後、及び左右を使用する。
【００１９】
図１及び図２は、本発明の実施の形態に係るシステムキッチンの構成を略示する斜視図である。図１及び図２はシステムキッチン１を正面側（前側）から見た状態を示しており、図１は化粧板２〜４を取り付ける前のシステムキッチン１を、図２は化粧板２〜４を取り付けた後のシステムキッチン１をそれぞれ示す。図３は化粧板２を示す模式図であり、図３Ａは化粧板２の正面図、図３Ｂは化粧板２の断面図である。図４は化粧板３を示す模式図であり、図４Ａは化粧板３の正面図、図４Ｂは化粧板３の側面図である。図５及び図６は、本発明の実施の形態に係るシステムキッチン１の構成を略示する斜視図である。図５及び図６はシステムキッチン１を背面側（後側）から見た状態を示しており、図５は化粧板５〜７を取り付ける前のシステムキッチン１を、図６は化粧板５〜７を取り付けた後のシステムキッチン１をそれぞれ示す。
【００２０】
本実施の形態のシステムキッチン（収納ユニット）１は、４つのキャビネット１１〜１４が左右方向に並べて連結されている。キャビネット１１〜１４は少なくとも一側面に開口部を有し、それぞれの開口部を前側に向けて並置されている。図１に示す例では、キャビネット１１の右側にキャビネット１２が連結され、キャビネット１２の右側にキャビネット１３が連結され、キャビネット１３の右側にキャビネット１４が連結されている。連結された各キャビネット１１〜１４の前側の端面（開口端面）はほぼ同一面状（面一）となっている。また、キャビネット１１〜１４の背面側に３つのキャビネット１５〜１７が左右方向に並べて連結されている。キャビネット１５〜１７は一側面に開口部を有し、それぞれの開口部を後側に向けて並置されている。よって、キャビネット１１〜１４とキャビネット１５〜１７とは、開口部を有する一側面の反対側の側面にて連結されている。図１及び図２に示す例では、キャビネット１１の背面にキャビネット１５が連結されており、キャビネット１２，１３の背面にキャビネット１６が連結されており、キャビネット１４の背面にキャビネット１７が連結されている。
【００２１】
キャビネット１１は例えばシンク台（流し台）であり、前部及び上部が開放された矩形筐状をなす。キャビネット１１の上部の開口部にはシンク（不図示）が設置され、前部の開口部には、上下方向に並ぶ２つの抽斗（不図示）が、キャビネット１１に対して前後方向に出し入れできるように取り付けられる。シンクに接続される排水管はキャビネット１１内に配置されるので、抽斗はキャビネット１１に収納された場合に排水管に当たらない大きさに構成される。
【００２２】
キャビネット１２は例えば食器洗い乾燥機を収容するキャビネットであり、前部が開放された矩形筐状をなす。食器洗い乾燥機は、食器洗い乾燥機本体に対して食器を出し入れする抽斗が、キャビネット１２の前部の開口部を介してキャビネット１２に対して前後方向にスライドするように、キャビネット１２に組み込まれる。
【００２３】
キャビネット１３は例えば食品、食器又は調理用具等を収納するキャビネットであり、前部及び上部が開放された矩形筐状をなす。キャビネット１３の前部の開口部には、上下方向に並ぶ３つの抽斗（不図示）が、キャビネット１３に対して前後方向に出し入れできるように取り付けられる。
【００２４】
キャビネット１４は例えばコンロ台であり、前部及び上部が開放された矩形筐状をなす。キャビネット１４の上部の開口部にはビルトイン型のグリル付きコンロ（不図示）が設置され、前部の開口部には、上下方向に並ぶ３つの抽斗（不図示）が、キャビネット１４に対して前後方向に出し入れできるように取り付けられる。
【００２５】
図１に示すように左右方向に連結されたキャビネット１１〜１４には、それぞれの上面を構成する上板１１ａ〜１４ａに前側から化粧板２が取り付けられる。上板１１ａ，１３ａ，１４ａは、各キャビネット１１，１３，１４の左右２つの側壁（側板）と後側の後壁（後板）と共に上部の開口部を構成する棒状部材であり、上板１２ａはキャビネット１２の上壁（天壁）を構成する部材である。
なお、キャビネット１１，１２の上板１１ａ，１２ａは隣接部分１ａを介して連結されており、キャビネット１２，１３の上板１２ａ，１３ａは隣接部分１ｂを介して連結されており、キャビネット１３，１４の上板１３ａ，１４ａは隣接部分１ｃを介して連結されている。このように隣接部分１ａ〜１ｃを介して連結された上板１１ａ〜１４ａの前面側は、ほぼ同一面状（面一）となっている。
【００２６】
化粧板２は、例えばステンレス製であり、システムキッチン１の左右幅全体に亘る細長い矩形状の目隠し板部２０を有する。目隠し板部２０は、化粧板２がキャビネット１１〜１４に取り付けられた場合に、上板１１ａの前面に当接して被覆する領域２０ａと、上板１２ａの前面に当接して被覆する領域２０ｂと、上板１３ａ，１４ａの前面に当接して被覆する領域２０ｃとを有する。領域２０ａ〜２０ｃは、それぞれが当接する上板１１ａ〜１４ａの当接面（上板１１ａ〜１４ａの前面）の上下方向の幅（厚み）に対応する幅と、左右方向の長さに対応する長さとを有する矩形をなす。図１及び図３Ａに示す例では、上板１２ａは他の上板１１ａ，１３ａ，１４ａよりも薄い厚みを有するので、領域２０ｂは他の領域２０ａ，２０ｃよりも小さい幅を有する。
また化粧板２は、図３Ｂに示すように、目隠し板部２０の下端から後側（背面側）に延びる矩形の取付板部２１を有する。取付板部２１は、目隠し板部２０の各領域２０ａ〜２０ｃの下端からそれぞれ延設されている。取付板部２１の適宜箇所には貫通孔２１ａが設けてある。
【００２７】
上述した構成の化粧板２をキャビネット１１〜１４に取り付ける場合、目隠し板部２０の領域２０ａ〜２０ｃをキャビネット１１〜１４の上板１１ａ〜１４ａの前面に当接させ、取付板部２１を上板１１ａ〜１４ａの下面に当接させた状態で、例えば取付板部２１の貫通孔２１ａに通したビスで取付板部２１を上板１１ａ〜１４ａの下面に取り付ける。化粧板２をキャビネット１１〜１４に取り付ける方法はこれに限らず、両面テープ、接着剤、タッカー及びビス等の内の１又は複数を用いてもよい。なお、タッカー又はビスを用いる場合、取付板部２１を上板１１ａ〜１４ａの下面に取り付けることにより、キャビネット１１〜１４の正面側に取付部材（タッカー又はビス）が露出しないので美観が損なわれない。両面テープ又は接着剤を用いる場合、目隠し板部２０及び取付板部２１と、上板１１ａ〜１４ａとの当接箇所を両面テープ又は接着剤にて接着させることにより、化粧板２をキャビネット１１〜１４に強固に取り付けることができる。
【００２８】
上述したようにキャビネット１１〜１４に化粧板２を取り付けることにより、隣接する上板１１ａ〜１４ａの前面を１つの化粧板２（目隠し板部２０）にて覆う（目隠しする）ことができる。よって、隣接する上板１１ａ〜１４ａ間の隣接部分１ａ〜１ｃが人目に付かないので、システムキッチン１の美観を向上させることができる。また、上板１１ａ〜１４ａ間の隣接部分１ａ〜１ｃが露出しないので、隣接部分１ａ〜１ｃに不要物が紛れ込むことを防止できる。
【００２９】
本実施の形態のシステムキッチン１では、左右の側板にも化粧板４，３がそれぞれ取り付けてある。具体的には、キャビネット１１の左側板に化粧板４が前側から取り付けてあり、キャビネット１４の右側板に化粧板３が前側から取り付けてある。
化粧板３は、例えばステンレス製であり、図４Ａに示すように上下方向に細長い矩形の目隠し板部（第２目隠し板部）３０と、図４Ｂに示すように目隠し板部３０の左端から後側（背面側）に延びる矩形の取付板部３１とを有する。目隠し板部３０は、キャビネット１４の右側板の前面を被覆する大きさを有する。取付板部３１は、化粧板３がキャビネット１４の右側板に取り付けられた場合に、右側板の左面に当接するように設けてある。図１及び図４Ｂに示す例では、取付板部３１は、キャビネット１４の右側板に抽斗をスライドさせるために設けられた２つのレール部材１４ｂを避けて右側板の左面に当接するように３つ設けてある。取付板部３１の適宜箇所には貫通孔３１ａが設けてある。
【００３０】
上述した構成の化粧板３をキャビネット１４（システムキッチン１）に取り付ける場合、目隠し板部３０をキャビネット１４の右側板の前面に当接させ、取付板部３１のそれぞれを右側板の左面に当接させた状態で、例えば取付板部３１の貫通孔３１ａに通したビスで取付板部３１を右側板の左面に取り付ける。化粧板３をキャビネット１４に取り付ける方法はこれに限らず、両面テープ、接着剤、タッカー及びビス等の内の１又は複数を用いてもよい。化粧板３においても、タッカー又はビスを用いる場合、取付板部３１をキャビネット１４の右側板の左面に取り付けることにより、キャビネット１４の正面側に取付部材（タッカー又はビス）が露出しないので美観が損なわれない。また両面テープ又は接着剤を用いる場合、目隠し板部３０及び取付板部３１と、キャビネット１４の右側板との当接箇所を両面テープ又は接着剤にて接着させることにより、化粧板３をキャビネット１４に強固に取り付けることができる。
【００３１】
化粧板４は化粧板３と同様の構成を有する。図１に示すように、化粧板４は、上下方向に細長い矩形の目隠し板部４０と、目隠し板部４０の右端から後側に延びる矩形の取付板部４１とを有する。目隠し板部４０は、キャビネット１２の左側板の前面を被覆する大きさを有する。取付板部４１は、化粧板４がキャビネット１１の左側板に取り付けられた場合に、左側板の右面に当接するように設けてある。図１に示す例では、取付板部４１は、キャビネット１１の左側板に抽斗をスライドさせるために設けられた１つのレール部材１１ｂを避けて左側板の右面に当接するように２つ設けてある。取付板部４１の適宜箇所には貫通孔が設けてある。
【００３２】
化粧板４をキャビネット１１（システムキッチン１）に取り付ける場合、目隠し板部４０をキャビネット１１の左側板の前面に当接させ、取付板部４１のそれぞれを左側板の右面に当接させた状態で、例えば取付板部４１の貫通孔に通したビスで取付板部４１を左側板の右面に取り付ける。化粧板４をキャビネット１１に取り付ける方法は、化粧板３をキャビネット１４に取り付ける方法と同様である。
システムキッチン１の左右の側板についても、上述したように化粧板３，４を取り付けることにより、左右の側板の前面をそれぞれ１つの化粧板３，４（目隠し板部３０，４０）にて覆う（目隠しする）ことができる。
【００３３】
次にキャビネット１５〜１７について図５及び図６を用いて説明する。図５及び図６はシステムキッチン１を後側から見た状態を示すので、図５及び図６における前後方向及び左右方向のそれぞれは、図１〜図４における前後方向及び左右方向とは逆方向となる。
キャビネット１５〜１７は例えば、食品又は食器等を収納するキャビネットである。キャビネット１５〜１７はそれぞれ、前部が開放された矩形筐状をなし、内部に３段の収納棚が設けてある。キャビネット１５〜１７の開口部にはそれぞれ、開き戸又は引き戸（図示せず）が取り付けてある。なお、各キャビネット１５〜１７における収納棚の数、収納棚のサイズは、図５及び図６に示した構成に限らない。
【００３４】
左右方向に連結されたキャビネット１５〜１７には、それぞれの上面を構成する上板１５ａ〜１７ａに前側から化粧板５が取り付けられる。上板１５ａ〜１７ａは各キャビネット１５〜１７の上壁（天壁）を構成する部材である。
なお、キャビネット１５，１６の上板１５ａ，１６ａは隣接部分１ｄを介して連結されており、キャビネット１６，１７の上板１６ａ，１７ａは隣接部分１ｅを介して連結されている。このように隣接部分１ｄ，１ｅを介して連結された上板１５ａ〜１７ａの前面側は、ほぼ同一面状（面一）となっている。
【００３５】
化粧板５は、例えばステンレス製であり、化粧板２と同様の構成を有する。具体的には、化粧板５は、システムキッチン１の左右幅全体に亘る細長い矩形状の目隠し板部５０と、目隠し板部５０の下端から後側に延びる矩形の取付板部５１とを有する。目隠し板部５０は、キャビネット１５〜１７の上板１５ａ〜１７ａを全て被覆する大きさを有する。取付板部５１は、化粧板５がキャビネット１５〜１７に取り付けられた場合に、上板１５ａ〜１７ａの下面に当接するように設けてある。図５に示す例では、取付板部５１は、隣接するキャビネット１５〜１７間の隣接部分１ｄ，１ｅを避けて上板１５ａ〜１７ａの下面に当接するように設けてある。取付板部５１の適宜箇所には貫通孔（不図示）が設けてある。
【００３６】
上述した構成の化粧板５をキャビネット１５〜１７に取り付ける場合、目隠し板部５０をキャビネット１５〜１７の上板１５ａ〜１７ａの前面に当接させ、取付板部５１を上板１５ａ〜１７ａの下面に当接させた状態で、例えば取付板部５１の貫通孔に通したビスで取付板部５１を上板１５ａ〜１７ａの下面に取り付ける。化粧板５をキャビネット１５〜１７に取り付ける場合、化粧板２をキャビネット１１〜１４に取り付ける方法と同様の方法を用いることができる。
上述したようにキャビネット１５〜１７に化粧板５を取り付けることにより、隣接する上板１５ａ〜１７ａの前面を１つの化粧板５（目隠し板部５０）にて覆う（目隠しする）ことができる。よって、隣接する上板１５ａ〜１７ａ間の隣接部分１ｄ，１ｅが人目に付かないので、システムキッチン１の美観を向上させることができる。また、上板１５ａ〜１７ａ間の隣接部分１ｄ，１ｅが露出しないので、隣接部分１ｄ，１ｅに不要物が紛れ込むことを防止できる。
【００３７】
キャビネット１５〜１７においても、左右の側板に化粧板６，７がそれぞれ取り付けてある。具体的には、キャビネット１５の右側板に化粧板６が取り付けてあり、キャビネット１７の左側板に化粧板７が取り付けてある。
化粧板７は、例えばステンレス製であり、上下方向に細長い矩形の目隠し板部７０と、目隠し板部７０の右端から後側に延びる矩形の取付板部７１とを有する。目隠し板部７０は、キャビネット１７の左側板の前面を被覆する大きさを有する。取付板部７１は、化粧板７がキャビネット１７の左側板に取り付けられた場合に、左側板の右面に当接するように設けてある。なお、取付板部７１は、キャビネット１７内に設けられた収納棚を避けて左側板の右面に当接するように設けられる。
【００３８】
化粧板７をキャビネット１７（システムキッチン１）に取り付ける場合、例えば、目隠し板部７０及び取付板部７１と、キャビネット１７の左側板との当接箇所を両面テープ又は接着剤にて接着させる。これにより、化粧板７をキャビネット１７に強固に取り付けることができる。なお、化粧板３，４と同様に、タッカー又はビスを用いて化粧板７をキャビネット１７に取り付けてもよい。この場合、タッカー又はビスにて、取付板部７１をキャビネット１７の左側板の右面に取り付けることにより、キャビネット１７の正面側に取付部材（タッカー又はビス）が露出しないので美観が損なわれない。また、両面テープ、接着剤、タッカー及びビス等の内の複数を用いて化粧板７をキャビネット１７に取り付けてもよい。
【００３９】
化粧板６は、化粧板７と同様の構成を有し、上下方向に細長い矩形の目隠し板部６０と、目隠し板部６０の左端から後側に延びる矩形の取付板部（不図示）とを有する。目隠し板部６０は、キャビネット１５の右側板の前面を被覆する大きさを有する。取付板部は、化粧板６がキャビネット１５の右側板に取り付けられた場合に、右側板の左面に当接するように設けてある。化粧板６をキャビネット１５に取り付ける場合、化粧板７をキャビネット１７に取り付ける方法と同様の方法を用いることができる。
【００４０】
キャビネット１５〜１７の左右の側板についても、上述したように化粧板６，７を取り付けることにより、左右の側板の前面をそれぞれ１つの化粧板６，７（目隠し板部６０，７０）にて覆う（目隠しする）ことができる。
なお、図５に示すようにキャビネット１５，１７が同じ構成を有する場合、化粧板６，７は同一形状に形成することができ、同一の部材を上下反転させて化粧板６，７として用いることができる。
【００４１】
本実施の形態のシステムキッチン１は、上述したように連結されたキャビネット１１〜１７の上面にワークトップ（不図示）を備える。よって、ワークトップにより、キャビネット１１〜１７の上部の開放部分が閉鎖されると共に、キャビネット１１〜１７間の隣接箇所の上側が被覆され、システムキッチン１の上面に平坦な作業面が構成される。また、化粧板２により、連結されたキャビネット１１〜１４の上板１１ａ〜１４ａの前面が被覆され、化粧板５により、キャビネット１５〜１７の上板１５ａ〜１７ａの後面が被覆される。よって、連結されたキャビネット１１〜１７の上板１１ａ〜１７ａ間の隣接部分１ａ〜１ｅが露出しないので、システムキッチン１の美観を向上させることができ、隣接部分１ａ〜１ｅに不要物が紛れ込むことを防止できる。
【００４２】
本実施の形態では、化粧板２〜７は、目隠し板部２０〜７０及び取付板部２１〜７１を有し、Ｌ字断面を有する形状に形成してある。これにより、化粧板２〜７の強度を高めることができ、キャビネット１１〜１７に強固に取り付けることが可能となる。また、例えばビスにて取付板部２１〜７１がキャビネット１１〜１７に取り付けられた場合、キャビネット１１〜１７の外部にビスが露出しないので美観が損なわれない。なお、化粧板２〜７は取付板部２１〜７１を備えない形状でもよく、この場合、両面テープ又は接着剤等にて化粧板２〜７（目隠し板部２０〜７０）をキャビネット１１〜１７に取り付けることができる。
また、化粧板２〜７のそれぞれは矩形板状の部材であるので製造が容易である。例えば、キャビネット１１〜１４の前面に取り付けられる化粧板２〜４を、門型（コの字形状）を有する一体物として製造する場合よりも容易に製造することができる。
【００４３】
上述した実施の形態において、キャビネット１１，１３，１４は、キャビネット１５〜１７のように内部に収納棚を有するキャビネットであってもよい。また、キャビネット１５〜１７は、キャビネット１１，１３，１４のように抽斗が取り付けられたキャビネットであってもよい。
また、キャビネット１２に組み込まれる電気機器は食器洗い乾燥機に限定されず、例えばオーブンレンジでもよい。更に、キャビネット１２に食器洗い乾燥機が組み込まれ、キャビネット１３にオーブンレンジが組み込まれる構成でもよい。
【００４４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、システムキッチン１に、本実施の形態に開示されていない構成要素が含まれていてもよい。
【符号の説明】
【００４５】
１  システムキッチン（収納ユニット）
１ａ〜１ｅ  隣接部分
２〜７  化粧板
１１〜１７  キャビネット
２０，３０，４０，５０，６０，７０  目隠し板部
２０ａ〜２０ｃ  領域
２１，３１，４１，５１，７１  取付板部
【図１】
0006654082.tif 000002
【図２】
0006654082.tif 000003
【図３】
0006654082.tif 000004
【図４】
0006654082.tif 000005
【図５】
0006654082.tif 000006
【図６】
0006654082.tif 000007